(57)【特許請求の範囲】
【請求項１】
並べられて配置された複数の面発光体と、
前記複数の面発光体のうちの輝度調整の基準となる基準面発光体の輝度を検出する第１検出手段と、
前記基準面発光体に隣接し、輝度調整の対象となる対象面発光体の輝度を検出する第２検出手段と、
前記第２検出手段により検出される輝度が、前記第１検出手段により検出される輝度に略一致するよう、前記対象面発光体の輝度を調整する調整手段と、
を備えることを特徴とするバックライト装置。
【請求項２】
請求項１に記載のバックライト装置において、
前記面発光体は、一側部に凸部を備えるとともに、当該一側部とは異なる他の一側部に凹部を備えた形状をなし、一の面発光体が備える前記凹部に、当該一の面発光体に隣接する他の面発光体が備える前記凸部が係合するように配置され、
前記第１検出手段は、前記凸部に配置され、
前記第２検出手段は、前記面発光体の略中央に配置されていることを特徴とするバックライト装置。
【請求項３】
請求項１又は２に記載のバックライト装置の輝度調整方法において、
前記複数の面発光体のうちの第１面発光体を前記基準面発光体とするとともに、当該第１面発光体に隣接する第２面発光体を前記対象面発光体として、前記調整手段により当該第２面発光体の輝度を調整し、
次いで、前記第２面発光体を前記基準面発光体とするとともに、当該第２面発光体に隣接する第３面発光体を前記対象面発光体として、前記調整手段により当該第３面発光体の輝度を調整することを特徴とするバックライト装置の輝度調整方法。
【請求項４】
請求項１又は２に記載のバックライト装置を備えることを特徴とする液晶ディスプレイ。
【請求項５】
バックライト装置を備える液晶ディスプレイにおいて、
前記バックライト装置は、
並べられて配置された複数の面発光体と、
前記複数の面発光体のうちの輝度調整の基準となる基準面発光体の輝度を検出する第１検出手段と、
前記基準面発光体に隣接し、輝度調整の対象となる対象面発光体の輝度を検出する第２検出手段と、
前記第２検出手段により検出される輝度が、前記第１検出手段により検出される輝度に略一致するよう、前記対象面発光体の輝度を調整する調整手段と、
を備え、
前記面発光体は、一側部に凸部を備えるとともに、当該一側部に対向する他の一側部に凹部を備えた形状をなし、一の面発光体が備える前記凹部に、当該一の面発光体に隣接する他の面発光体が備える前記凸部が係合するように配置され、
前記第１検出手段は、前記凸部に配置され、
前記第２検出手段は、前記面発光体の略中央に配置され、
前記調整手段は、前記液晶ディスプレイの電源がＯＮされた際に前記調整を行うことを特徴とする液晶ディスプレイ。
【発明の詳細な説明】
【技術分野】
【０００１】
本発明は、バックライト装置、当該バックライト装置の輝度調整方法及び当該バックライト装置を備える液晶ディスプレイに関する。
【背景技術】
【０００２】
従来、ＥＬ（Electro-Luminescence）バックライトなどの面発光するバックライト（以下、「面発光体」という。）が知られている（例えば、特許文献１参照）。
このような面発光体個々の大型化には限界があるため、面発光体を用いて大型ディスプレイに対応するバックライト装置を構成するためには、例えば、複数の面発光体を並べて配置する必要がある。
【特許文献１】特開２００６−３７９７号公報
【発明の開示】
【発明が解決しようとする課題】
【０００３】
しかしながら、複数の面発光体を並べて配置する場合、各面発光体の特性や、各面発光体を駆動する各ドライバの特性などによって、面発光体同士の間で輝度がばらつき、バックライト装置全体の輝度が均一にならないという問題がある。
【０００４】
本発明の課題は、複数の面発光体が並べられて配置されたバックライト装置における輝度の均一化、輝度を均一化するための当該バックライト装置の輝度調整方法及び当該バックライト装置を備える液晶ディスプレイを提供することにある。
【課題を解決するための手段】
【０００５】
上記課題を解決するために、請求項１に記載の発明は、
バックライト装置において、
並べられて配置された複数の面発光体と、
前記複数の面発光体のうちの輝度調整の基準となる基準面発光体の輝度を検出する第１検出手段と、
前記基準面発光体に隣接し、輝度調整の対象となる対象面発光体の輝度を検出する第２検出手段と、
前記第２検出手段により検出される輝度が、前記第１検出手段により検出される輝度に略一致するよう、前記対象面発光体の輝度を調整する調整手段と、
を備えることを特徴とする。
【０００６】
請求項２に記載の発明は、
請求項１に記載のバックライト装置において、
前記面発光体は、一側部に凸部を備えるとともに、当該一側部とは異なる他の一側部に凹部を備えた形状をなし、一の面発光体が備える前記凹部に、当該一の面発光体に隣接する他の面発光体が備える前記凸部が係合するように配置され、
前記第１検出手段は、前記凸部に配置され、
前記第２検出手段は、前記面発光体の略中央に配置されていることを特徴とする。
【０００７】
請求項３に記載の発明は、
請求項１又は２に記載のバックライト装置の輝度調整方法において、
前記複数の面発光体のうちの第１面発光体を前記基準面発光体とするとともに、当該第１面発光体に隣接する第２面発光体を前記対象面発光体として、前記調整手段により当該第２面発光体の輝度を調整し、
次いで、前記第２面発光体を前記基準面発光体とするとともに、当該第２面発光体に隣接する第３面発光体を前記対象面発光体として、前記調整手段により当該第３面発光体の輝度を調整することを特徴とする。
【０００８】
請求項４に記載の発明は、
液晶ディスプレイにおいて、
請求項１又は２に記載のバックライト装置を備えることを特徴とする。
【０００９】
請求項５に記載の発明は、
バックライト装置を備える液晶ディスプレイにおいて、
前記バックライト装置は、
並べられて配置された複数の面発光体と、
前記複数の面発光体のうちの輝度調整の基準となる基準面発光体の輝度を検出する第１検出手段と、
前記基準面発光体に隣接し、輝度調整の対象となる対象面発光体の輝度を検出する第２検出手段と、
前記第２検出手段により検出される輝度が、前記第１検出手段により検出される輝度に略一致するよう、前記対象面発光体の輝度を調整する調整手段と、
を備え、
前記面発光体は、一側部に凸部を備えるとともに、当該一側部に対向する他の一側部に凹部を備えた形状をなし、一の面発光体が備える前記凹部に、当該一の面発光体に隣接する他の面発光体が備える前記凸部が係合するように配置され、
前記第１検出手段は、前記凸部に配置され、
前記第２検出手段は、前記面発光体の略中央に配置され、
前記調整手段は、前記液晶ディスプレイの電源がＯＮされた際に前記調整を行うことを特徴とする。
【発明の効果】
【００１０】
本発明によれば、並べられて配置された複数の面発光体と、複数の面発光体のうちの輝度調整の基準となる基準面発光体の輝度を検出する第１検出手段と、基準面発光体に隣接し、輝度調整の対象となる対象面発光体の輝度を検出する第２検出手段と、第２検出手段により検出される輝度が、第１検出手段により検出される輝度に略一致するよう、対象面発光体の輝度を調整する調整手段と、を備えている。
したがって、隣接する面発光体同士の輝度が略一致するため、バックライト装置全体の輝度を均一化することができる。
【００１１】
また、本発明によれば、複数の面発光体のうちの第１面発光体を基準面発光体とするとともに、当該第１面発光体に隣接する第２面発光体を対象面発光体として、調整手段により当該第２面発光体の輝度を調整し、次いで、第２面発光体を基準面発光体とするとともに、当該第２面発光体に隣接する第３面発光体を対象面発光体として、調整手段により当該第３面発光体の輝度を調整するようになっている。
したがって、バックライト装置が備える全ての面発光体の輝度が、第１面発光体の輝度に略一致するため、バックライト装置全体の輝度を均一化することができる。
【発明を実施するための最良の形態】
【００１２】
以下、図を参照して、本発明を実施するための最良の形態を詳細に説明する。なお、発明の範囲は、図示例に限定されない。
【００１３】
＜液晶ディスプレイ＞
本発明の液晶ディスプレイ１００は、例えば、入力された画像情報に基づく画像を表示する大型液晶ディスプレイである。
具体的には、液晶ディスプレイ１００は、例えば、図１に示すように、バックライトパネル１と、バックライトドライバ２と、液晶パネル３と、液晶ドライバ４と、操作部５と、画像情報入力部６と、制御部７と、などを備えて構成される。
【００１４】
バックライトパネル１は、例えば、図１及び図２に示すように、複数の第１検出部１１，１１，…と、複数の第２検出部１２，１２，…と、バックライトパネル１の正面に配置された複数の面発光体１３，１３，…と、などを備えて構成される。
【００１５】
ここで、図２に示すバックライトパネル１においては、図２における上側、下側、左側及び右側を、それぞれ正面から見たバックライトパネル１の上側、下側、左側及び右側とする。
また、図２では、バックライトパネル１の前方に配置された液晶パネル３を仮想線（一点鎖線）で示す。
【００１６】
図２に示す面発光体１３には、「Ａ」、「Ｂ」、…、「Ｌ」が記載されているが、これは各面発光体１３を区別するためのものであり、無論、実際の面発光体１３には記載されていない。以下、「Ａ」が記載された面発光体１３を「面発光体Ａ」、「Ｂ」が記載された面発光体１３を「面発光体Ｂ」、…、「Ｌ」が記載された面発光体１３を「面発光体Ｌ」として説明する場合がある。
図２に示すバックライトパネル１においては、上段、中段及び下段に分かれており、上段には面発光体Ａ，Ｂ，Ｃ，Ｄの４つの面発光体１３が配置され、中段には面発光体Ｅ，Ｆ，Ｇ，Ｈの４つの面発光体１３が配置され、下段には面発光体Ｉ，Ｊ，Ｋ，Ｌの４つの面発光体１３が配置されている。
【００１７】
第１検出部１１は、例えば、面発光体１３上に配置されており、例えば、第１検出手段として、複数の面発光体１３のうちの輝度調整の基準となる基準面発光体の輝度を検出して、当該検出信号を制御部７に出力する。
第２検出部１２は、例えば、面発光体１３上に配置されており、例えば、第２検出手段として、基準面発光体に隣接し、輝度調整の対象となる対象面発光体の輝度を検出して、当該検出信号を制御部７に出力する。
具体的には、例えば、第１検出部１１は、当該第１検出部１１が配置された面発光体１３（対象面発光体）に隣接する面発光体１３（基準面発光体）の輝度を検出するとともに、第２検出部１２は、当該第２検出部１２が配置された面発光体（対象面発光体）の輝度を検出する。
【００１８】
面発光体１３は、例えば、所定の大きさ及び形状に形成された面状に発光する発光体（面状に発光するタイル）であり、タイル状に並べられて配置されている。
面発光体１３は、所定の大きさ及び形状に形成された面状に発光する発光体であれば任意であり、具体的には、例えば、ＥＬ（Electro-Luminescence）バックライト、ＬＥＤ（Light-Emitting Diode）や導光板などから構成されるＬＥＤバックライト等である。
すなわち、例えば、面発光体１３がＥＬバックライトである場合は、バックライトパネル１は、並べられて配置された複数のＥＬバックライトを備えて構成されていることになる。
【００１９】
面発光体１３は、例えば、図２に示すように、一側部に凸部１３１を備えるとともに、当該一側部とは異なる他の一側部に凹部１３２を備えた形状をなしている。
凸部１３１は、例えば、面発光体１３の中央から離れる側（外側）に向かうにつれて幅が狭くなる形状に形成されている。
また、凹部１３２は、例えば、凸部１３１が係合可能な形状に形成されている。
【００２０】
面発光体１３の形状は、面発光体１３に備えられた凸部１３１及び凹部１３２の位置や個数、大きさなどによって、複数種類に分類される。
具体的には、例えば、図２に示すように、面発光体Ａは、左側部に凸部１３１を有するとともに右側部及び下側部に凹部１３２を有する形状をなし、面発光体Ｅは、左側部及び上側部に凸部１３１を有するとともに右側部及び下側部に凹部１３２を有する形状をなし、面発光体Ｉは、左側部及び上側部に凸部１３１を有するとともに右側部に凹部１３２を有する形状をなし、面発光体Ｂ，Ｃ，Ｄ，Ｆ，Ｇ，Ｈ，Ｊ，Ｋ，Ｌは、左側部に凸部１３１を有するとともに右側部に凹部１３２を有する形状をなしている。
【００２１】
面発光体１３は、一の面発光体１３が備える凹部１３２に、当該一の面発光体１３に隣接する他の面発光体１３が備える凸部１３１が係合するように配置されている。
具体的には、面発光体１３は、例えば、図２に示すように、面発光体Ａが備える凹部１３２，１３２に、面発光体Ｂ及び面発光体Ｅの凸部１３１が係合するように、面発光体Ｂが備える凹部１３２に、面発光体Ｃの凸部１３１が係合するように、面発光体Ｃが備える凹部１３２に、面発光体Ｄの凸部１３１が係合するように、面発光体Ｅが備える凹部１３２，１３２に、面発光体Ｆ及び面発光体Ｉの凸部１３１が係合するように、面発光体Ｆが備える凹部１３２に、面発光体Ｇの凸部１３１が係合するように、面発光体Ｇが備える凹部１３２に、面発光体Ｈの凸部１３１が係合するように、面発光体Ｉが備える凹部１３２に、面発光体Ｊの凸部１３１が係合するように、面発光体Ｊが備える凹部１３２に、面発光体Ｋの凸部１３１が係合するように、面発光体Ｋが備える凹部１３２に、面発光体Ｌの凸部１３１が係合するように配置されている。
【００２２】
一の面発光体１３（例えば、図２における面発光体Ａ）を除く他の複数の面発光体１３の各々には、１個の第１検出部１１及び１個の第２検出部１２が配置されている。
具体的には、例えば、第１検出部１１は、凸部１３１に配置され、第２検出部１２は、面発光体１３の略中央に配置されている。
【００２３】
より具体的には、例えば、図２に示すように、面発光体Ｂに配置された第１検出部１１は、面発光体Ｂの凸部１３１に配置されて面発光体Ａの輝度を検出し、面発光体Ｂに配置された第２検出部１２は、面発光体Ｂの略中央に配置されて面発光体Ｂの輝度を検出するようになっている。
また、面発光体Ｃに配置された第１検出部１１は、面発光体Ｃの凸部１３１に配置されて面発光体Ｂの輝度を検出し、面発光体Ｃに配置された第２検出部１２は、面発光体Ｃの略中央に配置されて面発光体Ｃの輝度を検出するようになっている。
また、面発光体Ｄに配置された第１検出部１１は、面発光体Ｄの凸部１３１に配置されて面発光体Ｃの輝度を検出し、面発光体Ｄに配置された第２検出部１２は、面発光体Ｄの略中央に配置されて面発光体Ｄの輝度を検出するようになっている。
また、面発光体Ｅに配置された第１検出部１１は、面発光体Ｅの上側部の凸部１３１に配置されて面発光体Ａの輝度を検出し、面発光体Ｅに配置された第２検出部１２は、面発光体Ｅの略中央に配置されて面発光体Ｅの輝度を検出するようになっている。
また、面発光体Ｆに配置された第１検出部１１は、面発光体Ｆの凸部１３１に配置されて面発光体Ｅの輝度を検出し、面発光体Ｆに配置された第２検出部１２は、面発光体Ｆの略中央に配置されて面発光体Ｆの輝度を検出するようになっている。
また、面発光体Ｇに配置された第１検出部１１は、面発光体Ｇの凸部１３１に配置されて面発光体Ｆの輝度を検出し、面発光体Ｇに配置された第２検出部１２は、面発光体Ｇの略中央に配置されて面発光体Ｇの輝度を検出するようになっている。
また、面発光体Ｈに配置された第１検出部１１は、面発光体Ｈの凸部１３１に配置されて面発光体Ｇの輝度を検出し、面発光体Ｈに配置された第２検出部１２は、面発光体Ｈの略中央に配置されて面発光体Ｈの輝度を検出するようになっている。
また、面発光体Ｉに配置された第１検出部１１は、面発光体Ｉの上側部の凸部１３１に配置されて面発光体Ｅの輝度を検出し、面発光体Ｉに配置された第２検出部１２は、面発光体Ｉの略中央に配置されて面発光体Ｉの輝度を検出するようになっている。
また、面発光体Ｊに配置された第１検出部１１は、面発光体Ｊの凸部１３１に配置されて面発光体Ｉの輝度を検出し、面発光体Ｊに配置された第２検出部１２は、面発光体Ｊの略中央に配置されて面発光体Ｊの輝度を検出するようになっている。
また、面発光体Ｋに配置された第１検出部１１は、面発光体Ｋの凸部１３１に配置されて面発光体Ｊの輝度を検出し、面発光体Ｋに配置された第２検出部１２は、面発光体Ｋの略中央に配置されて面発光体Ｋの輝度を検出するようになっている。
また、面発光体Ｌに配置された第１検出部１１は、面発光体Ｌの凸部１３１に配置されて面発光体Ｋの輝度を検出し、面発光体Ｌに配置された第２検出部１２は、面発光体Ｌの略中央に配置されて面発光体Ｌの輝度を検出するようになっている。
【００２４】
バックライトドライバ２は、制御部７から入力される制御信号に従って、バックライトパネル１を駆動する。
具体的には、バックライトドライバ２は、例えば、面発光体Ａを発光させる面発光体ドライバＡ、面発光体Ｂを発光させる面発光体ドライバＢ、…、面発光体Ｌを発光させる面発光体ドライバＬ等を備えて構成される。
【００２５】
液晶パネル３は、図示は省略するが、例えば、一対の透明電極と、一対の透明電極の間に封入された液晶からなる液晶層と、一対の透明電極の外側に配置された一対のガラス基板と、一対のガラス基板の外側に配置された一対の偏光板と、などを備えて構成される。
【００２６】
液晶ドライバ４は、制御部７から入力される制御信号に従って、液晶パネル３を駆動する。
具体的には、液晶ドライバ４は、例えば、液晶パネル３が備える一対の透明電極により液晶パネル３が備える液晶層に電圧を印加することによって、当該液晶層の配向状態を変化させる。
【００２７】
操作部５は、例えば、各種操作ボタン等から構成されており、ユーザにより操作されると、当該操作信号を制御部７に出力する。なお、操作部５は、液晶ディスプレイ１００を遠隔制御するリモートコントローラなど、その他の操作装置を備えるものとしても良い。
【００２８】
画像情報入力部６は、例えば、図示しない外部機器との間で各種情報を入出力するためのインターフェイスである。
具体的には、画像情報入力部６は、外部機器と接続されており、当該外部機器から画像情報が入力されるようになっている。
【００２９】
制御部７は、例えば、図１に示すように、ＣＰＵ（Central Processing Unit）７１と、ＲＡＭ（Random Access Memory）７２と、記憶部７３と、などを備えている。
【００３０】
ＣＰＵ７１は、例えば、記憶部７３に記憶された液晶ディスプレイ１００用の各種処理プログラムに従って各種の制御動作を行う。
【００３１】
ＲＡＭ７２は、例えば、ＣＰＵ７１によって実行される処理プログラムなどを展開するためのプログラム格納領域や、入力データや上記処理プログラムが実行される際に生じる処理結果などを格納するデータ格納領域などを備える。
【００３２】
記憶部７３は、例えば、液晶ディスプレイ１００で実行可能なシステムプログラム、当該システムプログラムで実行可能な各種処理プログラム、これら各種処理プログラムを実行する際に使用されるデータ、ＣＰＵ７１によって演算処理された処理結果のデータなどを記憶する。なお、プログラムは、コンピュータが読み取り可能なプログラムコードの形で記憶部７３に記憶されている。
【００３３】
具体的には、記憶部７３は、例えば、バックライト駆動制御プログラム７３ａと、液晶駆動制御プログラム７３ｂと、などを記憶している。
【００３４】
バックライト駆動制御プログラム７３ａは、例えば、バックライトドライバ２に制御信号を入力して、バックライトパネル１を駆動させる機能を、ＣＰＵ７１に実現させる。
すなわち、ＣＰＵ７１は、例えば、面発光体ドライバＡ、面発光体ドライバＢ、…、面発光体ドライバＬに制御信号を入力して、面発光体Ａ、面発光体Ｂ、…、面発光体Ｌを発光させる。
【００３５】
ここで、ＣＰＵ７１は、例えば、液晶ディスプレイ１００の電源がＯＮされると、まず、第２検出部１２により検出される輝度が、第１検出部１１により検出される輝度に略一致するよう、面発光体１３（対象面発光体）の輝度を調整するようになっている。
具体的には、例えば、ＣＰＵ７１は、まず、左上に配置された面発光体１３（面発光体Ａ）を発光させる。
次いで、ＣＰＵ７１は、面発光体Ａと左側で隣接する面発光体Ｂを発光させて、面発光体Ｂに配置された第２検出部１２により検出される輝度が、面発光体Ｂに配置された第１検出部１１により検出される輝度に略一致するよう、面発光体Ｂの輝度を調整する。すなわち、面発光体Ａを基準面発光体とするとともに面発光体Ｂを対象面発光体として、面発光体Ｂの輝度を調整する。
次いで、ＣＰＵ７１は、面発光体Ｂと左側で隣接する面発光体Ｃを発光させて、面発光体Ｃに配置された第２検出部１２により検出される輝度が、面発光体Ｃに配置された第１検出部１１により検出される輝度に略一致するよう、面発光体Ｃの輝度を調整する。すなわち、面発光体Ｂを基準面発光体とするとともに面発光体Ｃを対象面発光体として、面発光体Ｃの輝度を調整する。
次いで、ＣＰＵ７１は、面発光体Ｃと左側で隣接する面発光体Ｄを発光させて、面発光体Ｄに配置された第２検出部１２により検出される輝度が、面発光体Ｄに配置された第１検出部１１により検出される輝度に略一致するよう、面発光体Ｄの輝度を調整する。すなわち、面発光体Ｃを基準面発光体とするとともに面発光体Ｄを対象面発光体として、面発光体Ｄの輝度を調整する。
次いで、ＣＰＵ７１は、面発光体Ａと下側で隣接する面発光体Ｅを発光させて、面発光体Ｅに配置された第２検出部１２により検出される輝度が、面発光体Ｅに配置された第１検出部１１により検出される輝度に略一致するよう、面発光体Ｅの輝度を調整する。すなわち、面発光体Ａを基準面発光体とするとともに面発光体Ｅを対象面発光体として、面発光体Ｅの輝度を調整する。
次いで、ＣＰＵ７１は、面発光体Ｅと左側で隣接する面発光体Ｆを発光させて、面発光体Ｆに配置された第２検出部１２により検出される輝度が、面発光体Ｆに配置された第１検出部１１により検出される輝度に略一致するよう、面発光体Ｆの輝度を調整する。すなわち、面発光体Ｅを基準面発光体とするとともに面発光体Ｆを対象面発光体として、面発光体Ｆの輝度を調整する。
次いで、ＣＰＵ７１は、面発光体Ｆと左側で隣接する面発光体Ｇを発光させて、面発光体Ｇに配置された第２検出部１２により検出される輝度が、面発光体Ｇに配置された第１検出部１１により検出される輝度に略一致するよう、面発光体Ｇの輝度を調整する。すなわち、面発光体Ｆを基準面発光体とするとともに面発光体Ｇを対象面発光体として、面発光体Ｇの輝度を調整する。
次いで、ＣＰＵ７１は、面発光体Ｇと左側で隣接する面発光体Ｈを発光させて、面発光体Ｈに配置された第２検出部１２により検出される輝度が、面発光体Ｈに配置された第１検出部１１により検出される輝度に略一致するよう、面発光体Ｈの輝度を調整する。すなわち、面発光体Ｇを基準面発光体とするとともに面発光体Ｈを対象面発光体として、面発光体Ｈの輝度を調整する。
次いで、ＣＰＵ７１は、面発光体Ｅと下側で隣接する面発光体Ｉを発光させて、面発光体Ｉに配置された第２検出部１２により検出される輝度が、面発光体Ｉに配置された第１検出部１１により検出される輝度に略一致するよう、面発光体Ｉの輝度を調整する。すなわち、面発光体Ｅを基準面発光体とするとともに面発光体Ｉを対象面発光体として、面発光体Ｉの輝度を調整する。
次いで、ＣＰＵ７１は、面発光体Ｉと左側で隣接する面発光体Ｊを発光させて、面発光体Ｊに配置された第２検出部１２により検出される輝度が、面発光体Ｊに配置された第１検出部１１により検出される輝度に略一致するよう、面発光体Ｊの輝度を調整する。すなわち、面発光体Ｉを基準面発光体とするとともに面発光体Ｊを対象面発光体として、面発光体Ｊの輝度を調整する。
次いで、ＣＰＵ７１は、面発光体Ｊと左側で隣接する面発光体Ｋを発光させて、面発光体Ｋに配置された第２検出部１２により検出される輝度が、面発光体Ｋに配置された第１検出部１１により検出される輝度に略一致するよう、面発光体Ｋの輝度を調整する。すなわち、面発光体Ｊを基準面発光体とするとともに面発光体Ｋを対象面発光体として、面発光体Ｋの輝度を調整する。
次いで、ＣＰＵ７１は、面発光体Ｋと左側で隣接する面発光体Ｌを発光させて、面発光体Ｌに配置された第２検出部１２により検出される輝度が、面発光体Ｌに配置された第１検出部１１により検出される輝度に略一致するよう、面発光体Ｌの輝度を調整する。すなわち、面発光体Ｋを基準面発光体とするとともに面発光体Ｌを対象面発光体として、面発光体Ｌの輝度を調整する。
ＣＰＵ７１は、かかるバックライト駆動制御プログラム７３ａを実行することによって、調整手段として機能する。
【００３６】
液晶駆動制御プログラム７３ｂは、例えば、液晶ドライバ４に制御信号を入力して、画像情報入力部６に入力された画像情報に基づいて、液晶パネル３を駆動させる機能を、ＣＰＵ７１に実現させる。
【００３７】
＜バックライト装置＞
本発明のバックライト装置は、例えば、バックライトパネル１（第１検出部１１、第２検出部１２、面発光体１３）と、バックライトドライバ２と、バックライト駆動制御プログラム７３ａを実行したＣＰＵ７１と、などにより構成される。
【００３８】
＜輝度調整処理＞
次に、本発明のバックライト装置における面発光体１３の輝度調整に関する処理について、図３のフローチャートを参照して説明する。
【００３９】
まず、ユーザによる操作部６の操作等によって液晶ディスプレイ１の電源がＯＮされると（ステップＳ１）、ＣＰＵ７１は、バックライト駆動制御プログラム７３ａを実行して、「基準面発光体」として左上の面発光体１３（具体的には、例えば、図２における面発光体Ａ）を設定し（ステップＳ２）、基準面発光体を発光させる（ステップＳ３）。
【００４０】
次いで、ＣＰＵ７１は、「対象面発光体」として基準面発光体の右隣の面発光体１３を設定し（ステップＳ４）、対象面発光体を発光させる（ステップＳ５）。
【００４１】
次いで、ＣＰＵ７１は、対象面発光体の輝度を調整する（ステップＳ６）。
【００４２】
次いで、ＣＰＵ７１は、対象面発光体が右端の面発光体１３（具体的には、例えば、図２における面発光体Ｄ，Ｈ，Ｌ）であるか否かを判断する（ステップＳ７）。
【００４３】
ステップＳ７で、対象面発光体が右端の面発光体１３でないと判断すると（ステップＳ７；Ｎｏ）、ＣＰＵ７１は、「基準面発光体」として現在の対象面発光体を設定し（ステップＳ８）、ステップＳ４以降の処理を繰り返して行う。
【００４４】
一方、ステップＳ７で、対象面発光体が右端の面発光体１３であると判断すると（ステップＳ７；Ｙｅｓ）、ＣＰＵ７１は、対象面発光体が下段に配置された面発光体１３（具体的には、例えば、図２における面発光体Ｌ）であるか否かを判断する（ステップＳ９）。
【００４５】
ステップＳ９で、対象面発光体が下段に配置された面発光体１３でないと判断すると（ステップＳ９；Ｎｏ）、ＣＰＵ７１は、「対象面発光体」として現在の基準面発光体がある段の下側の段に配置された左端の面発光体１３を設定する（ステップＳ１０）。
具体的には、例えば、図２において、現在の基準面発光体が面発光体Ｃである場合は、「対象面発光体」として面発光体Ｅを設定し、現在の基準面発光体が面発光体Ｇである場合は、「対象面発光体」として面発光体Ｉを設定する。
【００４６】
次いで、ＣＰＵ７１は、「基準面発光体」として対象面発光体の上隣の面発光体１３を設定する（ステップＳ１１）。
具体的には、例えば、図２において、「対象面発光体」として面発光体Ｅが設定された場合は、「基準面発光体」として面発光体Ａを設定し、「対象面発光体」として面発光体Ｉが設定された場合は、「基準面発光体」として面発光体Ｅを設定する。
【００４７】
次いで、ＣＰＵ７１は、対象面発光体を発光させて（ステップＳ１２）、ステップＳ５以降の処理を繰り返して行う。
【００４８】
一方、ステップＳ９で、対象面発光体が下段に配置された面発光体１３であると判断すると（ステップＳ９；Ｙｅｓ）、ＣＰＵ７１は、本処理を終了する。
【００４９】
ここで、輝度調整処理（図３）におけるステップＳ４〜ステップＳ８の処理が、特許請求の範囲に記載したバックライト装置の輝度調整方法の一例である。
【００５０】
以上説明した本発明のバックライト装置及び液晶ディスプレイ１００によれば、バックライト装置は、並べられて配置されたタイル形状をなす複数の面発光体１３，１３，…と、複数の面発光体１３，１３，…のうちの輝度調整の基準となる基準面発光体の輝度を検出する第１検出部１１と、基準面発光体に隣接し、輝度調整の対象となる対象面発光体の輝度を検出する第２検出部１２と、第２検出部１２により検出される輝度が、第１検出部１１により検出される輝度に略一致するよう、対象面発光体の輝度を調整するバックライト駆動制御プログラム７３ａを実行したＣＰＵ７１と、を備えている。
したがって、隣接する面発光体１３，１３同士の輝度が略一致するため、バックライト装置全体の輝度を均一化することができる。
【００５１】
また、以上説明した本発明のバックライト装置及び液晶ディスプレイ１００によれば、面発光体１３は、一側部に凸部１３１を備えるとともに、一側部１３１とは異なる他の一側部に凹部１３２を備えた形状をなし、一の面発光体１３が備える凹部１３２に、当該一の面発光体１３に隣接する他の面発光体１３が備える凸部１３１が係合するように配置され、第１検出部１１は、凸部１３１に配置され、第２検出部１２は、面発光体１３の略中央に配置されている。
すなわち、第１検出部１１は、隣接する他の面発光体１３に食い込む凸部１３１に配置されているため、当該隣接する他の面発光体１３の輝度を精度良く検出できる。また、第２検出部１２は、面発光体１３の略中央に配置されているため、当該面発光体１３の輝度を精度良く検出できるため、隣接する面発光体１３，１３同士の輝度を精度良く略一致させることができる。
【００５２】
また、以上説明した本発明のバックライト装置及び液晶ディスプレイ１００によれば、液晶ディスプレイ１００の電源がＯＮされた際に輝度の調整を行うようになっている。
したがって、面発光体１３の輝度が環境（例えば、温度等）によって変化したり、面発光体１３の輝度が経年変化したりしても、バックライト装置全体の輝度を常に均一化することができることとなって、製造時にのみ輝度調整する場合と比較して好適である。
【００５３】
また、以上説明した本発明のバックライト装置の輝度調整方法によれば、複数の面発光体１３のうちの第１面発光体を基準面発光体とするとともに、当該第１面発光体に隣接する第２面発光体を対象面発光体として、当該第２面発光体の輝度を調整し、次いで、第２面発光体を基準面発光体とするとともに、当該第２面発光体に隣接する第３面発光体を対象面発光体として、当該第３面発光体の輝度を調整するようになっている。
したがって、バックライト装置が備える全ての面発光体１３の輝度が、第１面発光体（具体的には、例えば、図２における面発光体Ａ）の輝度に略一致するため、バックライト装置全体の輝度を均一化することができる。
【００５４】
なお、本発明は、上記した実施の形態のものに限るものではなく、その要旨を逸脱しない範囲で適宜変更可能である。
【００５５】
バックライト装置が備える全ての面発光体１３の輝度を、最初に基準面発光体として設定された面発光体１３（具体的には、例えば、図２における面発光体Ａ）の輝度に略一致させることができるのであれば、輝度調整の順序は、上段→中段→下段に限ることはなく、任意である。
具体的には、例えば、図２において、面発光体Ｂと面発光体Ｅの輝度調整を略同時に行い、次いで、面発光体Ｃと面発光体Ｆと面発光体Ｉの輝度調整を略同時に行い、次いで、面発光体Ｄと面発光体Ｇと面発光体Ｊの輝度調整を略同時に行い、面発光体Ｈと面発光体Ｋの輝度調整を略同時に行い、次いで、面発光体Ｌの輝度調整を行うようにしても良い。
【００５６】
バックライト装置が備える全ての面発光体１３の輝度を、最初に基準面発光体として設定された面発光体１３の輝度に略一致させることができるのであれば、最初に基準面発光体として設定される面発光体１３の位置は、左上（具体的には、例えば、図２における面発光体Ａが配置された位置）に限ることはなく、任意である。
【００５７】
面発光体１３の特性等によって輝度が安定するまでに時間がかかる場合には、例えば、バックライト装置が備える全ての面発光体１３を発光させ、一定時間経過後、全ての面発光体１３が発光した状態で各面発光体１３の輝度を順次調整するようにしても良い。
【００５８】
第１検出部１１によって基準面発光体の輝度を精度良く検出できるのであれば、その配置位置は任意である。すなわち、第１検出部１１によって当該第１検出部１１を備える面発光体１３に隣接する他の面発光体１３の輝度を精度良く検出できるのであれば、第１検出部１１の配置位置は任意であり、例えば、当該第１検出部１１を備える面発光体１３から離れた位置に配置されていても良い。
また、第２検出部１２によって対象面発光体の輝度を精度良く検出できるのであれば、その配置位置は任意である。すなわち、第２検出部１２によって当該第２検出部１２を備える面発光体１３の輝度を精度良く検出できるのであれば、第２検出部１２の配置位置は任意であり、例えば、当該第２検出部１２を備える面発光体１３から離れた位置に配置されていても良い。
また、面発光体１３の形状（凸部１３１及び凹部１３２の形状や大きさ、配置位置など）は任意である。
【００５９】
最初に基準面発光体として設定される面発光体１３（具体的には、例えば、図２における面発光体Ａ）以外の面発光体１３の輝度を調整する前に、面発光体Ａの輝度を調整するようにしても良い。
具体的には、例えば、製造時の面発光体Ａの輝度（面発光体１３の理想の輝度等であっても良い。）を記憶しておき、面発光体Ａ以外の面発光体１３の輝度を調整する前に、面発光体Ａを基準面発光体とする対象面発光体（具体的には、例えば、図２における面発光体Ｂ，Ｅ）に配置された第１検出部１１により検出される面発光体Ａの輝度が、記憶された輝度に略一致するよう、面発光体Ａの輝度を調整するようにしても良い。この場合、面発光体１３の輝度が環境によって変化したり、面発光体１３の輝度が経年変化したりしても、バックライト装置全体の輝度を常に略一定とすることができる。
【００６０】
最初に基準面発光体として設定される面発光体１３（具体的には、例えば、図２における面発光体Ａ）に、第２検出部１２を備えて、面発光体Ａ以外の面発光体１３の輝度を調整する前に、面発光体Ａの輝度を調整するようにしても良い。
具体的には、例えば、製造時の面発光体Ａの輝度（面発光体１３の理想の輝度等であっても良い。）を記憶しておき、面発光体Ａ以外の面発光体１３の輝度を調整する前に、第２検出部１２により検出される面発光体Ａの輝度が、記憶された輝度に略一致するよう、面発光体Ａの輝度を調整するようにしても良い。この場合、面発光体１３の輝度が環境によって変化したり、面発光体１３の輝度が経年変化したりしても、バックライト装置全体の輝度を常に略一定とすることができる。
【図面の簡単な説明】
【００６１】
【図１】本発明の液晶ディスプレイの機能的構成を示すブロック図である。
【図２】図１に示すバックライトパネルの正面図である。
【図３】本発明のバックライト装置における面発光体の輝度調整に関する処理について説明するためのフローチャートである。
【符号の説明】
【００６２】
１  バックライトパネル（バックライト装置）
２  バックライトドライバ（バックライト装置）
１１  第１検出部（第１検出手段、バックライト装置）
１２  第２検出部（第２検出手段、バックライト装置）
１３  面発光体（バックライト装置）
７１  ＣＰＵ（調整手段、バックライト装置）
７３ａ  バックライト駆動制御プログラム（調整手段、バックライト装置）
１３１  凸部
１３２  凹部
１００  液晶ディスプレイ
【図１】
0005003577.tif 000002
【図２】
0005003577.tif 000003
【図３】
0005003577.tif 000004